(57)【要約】【課題】簡素な構成により安価に実現され、排尿後の交換も簡単で済むペットトイレ用具が求められている。【解決手段】ペットトイレ用具１は、シート状吸水材８で少なくとも下面筒開口４を有して形成された筒状部２を備えて成り、筒状部２の筒内面が、床などに立てて置かれるポール状体５に挿脱自由に被せられる大きさに形成されている。筒状部２はその上部が天盤部３で封止されて袋状に形成されている。ポール状体５としては、例えば使用済みのペットボトルに水を入れて代用することができる。【選択図】      図２
2004329003.tif 000002
【特許請求の範囲】
【請求項１】
シート状吸水材で少なくとも下面筒開口を有して形成された筒状部を備えて成り、該筒状部の筒内面が、床などに立てて置かれるポール状体に挿脱自由に被せられる大きさに形成されていることを特徴とするペットトイレ用具。
【請求項２】
筒状部は、その上部が封止されて袋状に形成されている請求項１に記載のペットトイレ用具。
【発明の詳細な説明】
【０００１】
【発明の属する技術分野】
本発明は、ポール状の起立物に向けて排尿する習性を持つペット、例えばオス犬に用いられるペットトイレ用具に関するものである。
【０００２】
【従来の技術】
従来、この種の用具としては下記の特許文献１に開示されたペットトイレセットが知られている。このペットトイレセットは、専用のポール状筒体内にボトル状重錘を挿入し、ポール状筒体およびボトル状重錘を吸水シートの貫通穴に挿通し、更にこれらの吸水シート、ポール状筒体、およびボトル状重錘を防水シート上に置くようにしたものであり、室内で飼われるオス犬用として使用される。
かかるペットトイレセットを設置すると、オス犬は縄張り主張のためのマーキング習性により尿意を催してポール状筒体に放尿する。かけられた尿はポール状筒体から流れ落ちて吸水シートに吸収されるようになっている。一方、尿を吸収した吸水シートを取り替える際には、吸水シートを両手で防水シートから持ち上げ、更にポール状筒体を吸水シートの貫通穴から抜き取るようにしている。
【０００３】
【特許文献１】
登録実用新案第３０５０２８９号公報
【０００４】
【発明が解決しようとする課題】
上記したように、従来のペットトイレセットは、防水シート、吸水シート、ポール状筒体、およびボトル状重錘のセッティング作業、あるいは排尿後の取り替え作業に手間がかかって面倒であり、セット構成も複雑であった。かかる理由でこのペットトイレセットは広く普及していない。
一方、プラスチックなどの硬い材質で構成されていて表面が平滑なポール状筒体は、むき出しで使用されるため、降りかかった尿がポール状筒体の表面ではね返って周囲に飛散しやすい。そのため、飛び散った尿が吸水シートを越えて防水シートまで達したり、防水シートの外側へ飛び出して周囲を汚すことがある。
【０００５】
本発明は、上記した従来の問題点に鑑みてなされたものであって、簡素な構成により安価に実現され、排尿後の交換も簡単で済むペットトイレ用具の提供を目的とするものである。
【０００６】
【課題を解決するための手段】
上記目的を達成するために、本発明に係るペットトイレ用具は、シート状吸水材で少なくとも下面筒開口を有して形成された筒状部を備えて成り、該筒状部の筒内面が、床などに立てて置かれるポール状体に挿脱自由に被せられる大きさに形成されているものである。
【０００７】
また、前記構成において、筒状部はその上部が封止されて袋状に形成されているものである。
【０００８】
【発明の実施の形態】
本発明の実施の形態を図面に基づいて説明する。尚、以下に述べる実施形態は本発明を具体化した一形態に過ぎず、本発明の技術的範囲を限定するものでない。ここに、図１は本発明の一実施形態に係るペットトイレ用具を示す外観図、図２は図１におけるＡ−Ａ線矢視端面図、図３は図２におけるＢ−Ｂ線矢視端面図である。無論、各図に示したペットトイレ用具はあくまでも本発明例示の図であって、各部の具体的な大きさや形状はこれらの図の内容に限定されない。
各図において、この実施形態に係るペットトイレ用具１は、下面筒開口４を有する円筒状に形成された筒状部２と、筒状部２の上部を封止する天盤部３とから構成されている。筒状部２の下面筒開口４の筒内径Ｆは、床などに立てて置かれるポール状体（この例では、ポリエチレンテレフタレート製飲料容器いわゆるペットボトル（１．８Ｌ容量）を用いた）５の外径よりも大きく設定されている。すなわち、筒状部２の筒内面はポール状体５に挿脱自由に被せられる大きさに形成されている。
【０００９】
そして、筒状部２は、筒内面を構成する防水シート９と、防水シート９の外側に全周にわたって配置されるシート状吸水体８とから成っている。この例において、シート状吸水体８は透水シート７と高分子吸水体６とで構成される。透水シート７と防水シート９はそれぞれの上下端縁が高周波ミシンなどにより熱溶着され、これらの間はリング状の空間となっている。この空間内に顆粒状の高分子吸水体６が収容される。高分子吸水体６を収容した状態の透水シート７と防水シート９は、図示を省略するが、上下途中の数箇所で熱溶着されている。これにより、高分子吸水体６は自身の重みで空間内の下部に偏在するといったことがなく上下均一に保持されている。
【００１０】
尚、防水シート９は下側の端縁部９Ｅが透水シート７の下端部を被い、更に上方に折り返されて透水シート７に熱溶着されている。これにより、高分子吸水体６および透水シート７に吸収された尿がポール状体５や床に接液することを防ぎ、それらを汚さないように工夫されている。
筒状部２の周方向の構造（図３参照）に関して、防水シート９は、左右両側の端縁部９Ｇ，９Ｇが重ね合わせられて熱溶着されることにより円筒状に形成される。同じく、透水シート７も左右両側の端縁部７Ｇ，７Ｇが重ね合わせられ熱溶着されて円筒状に形成されている。
【００１１】
天盤部３は、下側の防水シート１１と、防水シート１１の上面に積層された吸水シート１０とから成り、筒状部２の透水シート７および防水シート９の上端縁と一緒に折り込まれて熱溶着されることにより、筒状部２の上部を封止し下面筒開口４だけを有する袋状となっている。前記した天盤部３と筒状部２の折り込み位置には、例えばナイロン製の摘み紐２０も共付けされる。尚、防水シート１１と吸水シート１０の間に空間を設け、この空間内に前記の高分子吸水体６を収容してもよい。
【００１２】
前記の透水シート７は尿を速やかに透過させる素材であれば、特に限定されない。かかる素材としては、例えばレーヨン、ポリエステル、ポリプロピレン、あるいは熱融着型ポリオレフィン複合繊維などをシート化し熱融着もしくはバインダーで結合した不織布などが挙げられる。
他方、防水シート９，１１は尿を透過させない素材であれば特に限定されないが、例えばポリエチレン、ポリプロピレン、ポリビニルアルコールなどのフィルムを用いて形成される。
また、吸水シート１０は多量の尿を容易に吸収して保水するものであれば特に限定されないが、例えばレーヨン繊維と綿状パルプを混合して抄造した紙シートから成るものが使用される。
【００１３】
高分子吸水体６は大きな吸収能力を有する水不溶性の吸水性樹脂であれば特に限定されない。高分子吸水体６の素材は、市販の紙おむつなどに使用されている高分子吸収体が使用可能であり、例えば、架橋したポリアクリル酸またはその塩、架橋ポリアクリル酸（またはその塩）−スルホン酸（またはその塩）の共重合体、リン酸基置換の架橋ポリアクリル酸またはその塩などが挙げられる。これらの中でも、比較的大きな吸水能力を有しており工業生産が比較的容易で安価という点から、架橋したポリアクリル酸またはその塩を主構成単位とするものが好適である。高分子吸収体６は粒径３０〜５０μｍの顆粒状物を使用すると吸水しやすい。尚、この高分子吸水体６に、臭気マスキング用香料のうち、ペットの好むものを添加してもよい。
【００１４】
引続き、ペットトイレ用具１の使用例を説明する。まず、水を入れて重くしたペットボトルをポール状体５として地面などに置く。そして、ペットトイレ用具１の下面筒開口４をポール状体５の上方にかざしてペットトイレ用具１を手放す。すると、ペットトイレ用具１が落下し、天盤部３の下面がポール状体５の上端に当接してその位置で保持される。このとき、ポール状体５の全体がペットトイレ用具１で覆われ、ペットトイレ用具１の下縁は地面に接する。このように、ペットトイレ用具１の装着は極めて簡単である。そのうち、オス犬Ｈはテリトリー確認のためのマーキング動作として片足を上げペットトイレ用具１に向けて放尿する。ペットトイレ用具１に降りかかった尿は筒状部２の透水シート７を速やかに透過し高分子吸水体６に吸収される。高分子吸水体６は数回分の放尿を保水することができる。
【００１５】
一方、高分子吸水体６の内側には防水シート９があるので、高分子吸水体６に吸収された尿は防水シート９で止水されてポール状体５に届かない。従って、ポール状体５が汚れたり臭くなったりしない。
そして、高分子吸水体６に尿が充満した頃合いを見計らい、ペットトイレ用具１が交換される。その際、摘み紐２０を指で摘んで引き上げることにより、ペットトイレ用具１をポール状体５から片手で簡単に取り外して交換することができる。その際、摘み紐２０以外に触れる必要がなく手が汚れにくい。こうして取り外されたペットトイレ用具１はそのまま使い捨てされる。
また、シート状吸水材８は軟質材（透水シート７および高分子吸水体６）で構成されているため、尿が降りかかってもその表面で跳ね返ることがほとんどなく確実に吸収される。従って、ポール状体５の周囲を汚しにくい。
【００１６】
ところで、犬をつれて他家を訪問する際には犬の粗相が気になるものである。そのような場合は、図４に示すように、室内床などの上に汎用の防水シート１３を敷き、防水シート１３の上に汎用の吸水シート１２を敷き、吸水シート１２の上にポール状体５を置いて使用する。ポール状体５は訪問した他家で使用済みのペットボトルを借りて代用してもよい。そして、前記した実施形態と同様に、ポール状体５にペットトイレ用具１を被せて使用する。このように、ペットトイレ用具１を持参して訪問すると安心である。
【００１７】
尚、上記の実施形態では、筒下端に下面筒開口４を有し、筒上端を天盤部３で封止して袋状に形成したペットトイレ用具１を例示したが、本発明のペットトイレ用具はそれに限定されるものでない。
例えば、図５に示したペットトイレ用具１ａは、天盤部３を省いて上面筒開口１４を有する上下貫通の筒状部２ａで構成されている。筒状部２ａにおける筒上端以外は、前述したペットトイレ用具１の筒状部２と同じ構成である。筒状部２ａの上面筒開口１４では、防水シート９（図２参照）の上側の端縁部９Ｉが透水シート７の上縁を被って折り返され熱溶着されている。このペットトイレ用具１ａは装着時にポール状体５の上部が露出するが、小型犬はポール状体５の上部まで放尿が届かないので小型犬用として好適であり、しかも構成が簡素で安価に提供される。
【００１８】
また、図６に、筒状部２ｂの周方向に沿ってギャザー部１６を設けたペットトイレ用具１ｂを示す。筒状部２ｂにおけるギャザー部１６以外の部分は前述したペットトイレ用具１ａの筒状部２ａと同じ構成である。
前記のギャザー部１６においては、ゴム糸１５が筒状部２ｂの全周にわたり透水シート７の内周面に添えられている。このゴム糸１５は、１点鎖線で示したＣ部拡大端面図のように、固定用粘着テープ１７により透水シート７の内面に固定されている。このペットトイレ用具１ｂでは、ゴム糸１５，１５の存在により筒状部２ｂがギャザー部１６，１６の位置で縮径してポール状体５の容器壁５Ｊに圧接される。これにより、筒状部２ｂが尿を吸収して重くなったとしても上下に縮むことがなく、十分な高さを保持して尿を受けることができる。
【００１９】
また、図７および図８に示すように、長尺のシート状吸水体８ａを層状に巻いて形成された円筒状の筒状部２ｃから成るペットトイレ用具１ｃも挙げられる。前記のように巻かれたシート状吸水体８ａの層間は、各層間で透水可能な塗布態様または透水可能な塗布量の接着剤（例えば、ポリ酢酸ビニル系接着剤）を用いて接着される。このシート状吸水体８ａの素材は多量の尿を容易に吸収して保水するものであれば特に限定されないが、既述した吸水シート１０（図２参照）と同質で厚手の素材を使用するとよい。このペットトイレ用具１ｃは１枚のシート状吸水体８ａと接着剤とから製造され、既述したような防水シート９（図２など参照）を有していないので、極めて安価に提供される。
【００２０】
そして、図９に、シート状吸水体８ａを巻いて円筒状にした筒状部２ｄを備えたペットトイレ用具１ｄを示す。筒状部２ｄにおいて、シート状吸水体８ａの端縁部８Ｌと端縁部８Ｋとは離間自由である。シート状吸水体８ａの端縁部８Ｋには内面に粘着層を有する粘着テープ１９，１９，１９の一端部が固着されている。粘着テープ１９，１９，１９の他端部は端縁部８Ｋから延出している。そして、粘着テープ１９，１９，１９の他端部が届く位置のシート状吸水体８ａ外周面には、平面シート１８，１８，１８がそれぞれ固着されている。これらの平面シート１８，１８，１８には、粘着テープ１９，１９，１９の粘着層が剥離可能に貼着されるようになっている。このペットトイレ用具１ｄでは、平面シート１８，１８，１８に対し、粘着テープ１９，１９，１９の粘着層を貼着させたり剥がしたりできるので、ポール状体５の大きさに応じて筒状部２ｄの内径を変更することができる。ひいては、筒状部２ｄの内周面をポール状体５の外周面に密着させて使用することも可能となる。
【００２１】
上記では、ポール状体として、使用済みのペットボトルを転用した例を示したが、別途用意した専用のポール状体（金属製品、合成樹脂成型品など）を用いても構わない。その場合、ポール状体の平断面形状（円、三角、四角など）に応じてペットトイレ用具の筒内面の形状を形成したり、可撓性を有する変形自在の素材で構成すればよい。あるいは、一升瓶、ゴルフクラブバッグなどをポール状体とみなし、これらにペットトイレ用具を被せて使用することも可能である。
【００２２】
【発明の効果】
以上詳述したように、本発明に係るペットトイレ用具は筒状に形成されていて、床などに立てて置かれるポール状体に挿脱自在に被せられるので、構成が簡素であり安価に提供される。また、ポール状体に簡単に着脱されるから、多忙な世情にも好適に対応することができて世に普及しやすい。
【００２３】
そして、筒状部の上部が袋状に封止されている場合は、ポール状体の上端が筒状部の上部に被われて露出しないので、ポール状体にじかに尿がかからない。また、袋状になった筒状部の上部を片手でつまむことにより簡単に取り替えることができる。
【図面の簡単な説明】
【図１】本発明の一実施形態に係るペットトイレ用具を示す外観図である。
【図２】図１におけるＡ−Ａ線矢視端面図である。
【図３】図２におけるＢ−Ｂ線矢視端面図である。
【図４】前記ペットトイレ用具の使用例を示す説明図である。
【図５】本発明の別の実施形態に係るペットトイレ用具を示す外観図である。
【図６】本発明の更に別の実施形態に係るペットトイレ用具を示す外観図および部分拡大端面図である。
【図７】本発明の他の実施形態に係るペットトイレ用具を示す外観図である。
【図８】図７におけるＤ−Ｄ線矢視端面図である。
【図９】本発明の更に他の実施形態に係るペットトイレ用具を示す外観図である。
【符号の説明】
１，１ａ，１ｂ，１ｃ，１ｄ  ペットトイレ用具
２，２ａ，２ｂ，２ｃ，２ｄ  筒状部
３    天盤部
４    下面筒開口
５    ポール状体
６    高分子吸水体
７    透水シート
８，８ａ  シート状吸水体
Ｆ    筒内径
Ｈ    オス犬（ペット）
【図１】
2004329003.tif 000003
【図２】
2004329003.tif 000004
【図３】
2004329003.tif 000005
【図４】
2004329003.tif 000006
【図５】
2004329003.tif 000007
【図６】
2004329003.tif 000008
【図７】
2004329003.tif 000009
【図８】
2004329003.tif 000010
【図９】
2004329003.tif 000011